(57)【要約】【課題】各々が画面上で表示すべき状態に応じて最適な選択領域が設定された少なくとも一つの表示部品を画面上に表示することができる表示部品画面描画装置を得る。【解決手段】選択領域設定用制御部１３Ａは選択領域入力部１１及び関連付設定部１４と連動して、選択領域入力部１１による選択領域入力処理及び関連付設定部１４による関連付設定処理を含む選択領域設定処理を実行する。上記選択領域設定処理において、選択領域入力部１１の上記選択領域入力処理により得られた選択領域を定義する選択領域定義情報Ｓ１３１と、関連付設定部１４の上記関連付設定処理により得られた設定対象表示部品と選択領域との関連付けに関する関連性情報Ｓ１３２とを含む情報が選択領域関連情報Ｓ１３として描画情報記憶部１２に格納される。【選択図】図１
2017167876.tif 000002
【特許請求の範囲】
【請求項１】
少なくとも一つの表示部品を画面上に表示する表示部品描画装置であって、
前記少なくとも一つの表示部品の画面上における描画情報である部品描画情報を記憶する描画情報記憶部と、
前記部品描画情報を受け、前記少なくとも一つの表示部品のうち、選択領域の設定対象となる設定対象表示部品に対し、選択領域を生成し、生成した選択領域を前記設定対象表示部品に関連付ける、選択領域設定処理を実行する選択領域設定部とを備え、前記選択領域設定処理により得られた選択領域を定義する選択領域定義情報と前記設定対象表示部品と選択領域との関連性を指示する関連性情報とを含む情報が選択領域関連情報として前記描画情報記憶部に格納され、
前記部品描画情報に基づき、画面上に前記少なくとも一つの表示部品を描画する部品描画部と、
画面上におけるユーザの指示位置を示す入力操作に応答し、前記指示位置を指示する指示位置情報を付与するイベント検出部とをさらに備え、
前記選択領域設定部は、前記指示位置情報が指示する指示位置に対応する選択領域が存在する場合、当該選択領域を検知選択領域として認識し、前記少なくとも一つの表示部品のうち、前記検知選択領域に関連付けられた表示部品が選択されたことを認識する表示部品選択認識処理をさらに実行する、
表示部品画面描画装置。
【請求項２】
請求項１記載の表示部品画面描画装置であって、
前記少なくとも一つの表示部品に含まれず、追加対象となる既存部品である追加対象既存部品の描画情報を含む追加対象既存部品情報を前記選択領域設定部に付与する既存部品情報付与部をさらに備え、前記追加対象既存部品情報は、前記追加対象既存部品に既に設定された選択領域である追加対象選択領域が存在する場合、前記追加対象選択領域の定義情報をさらに含み、
前記選択領域設定部は、前記追加対象既存部品情報を受け、前記追加対象既存部品を新たに前記少なくとも一つの表示部品に含ませるともに、前記追加対象選択領域が存在する場合は、前記追加対象選択領域を無効化して、前記追加対象既存部品に対し前記選択領域設定処理を実行する、
表示部品画面描画装置。
【請求項３】
請求項１または請求項２記載の表示部品画面描画装置であって、
前記少なくとも一つの表示部品は複数の表示部品を含み、
前記複数の表示部品間における、選択領域の優先度を指示する選択領域優先度指示情報を付与する選択領域優先度指定部をさらに備え、
前記選択領域設定部は、前記選択領域優先度指示情報を受け、前記選択領域設定処理の実行時に、画面上で互いの選択領域が重複した重複選択領域を有する少なくとも二つの表示部品が存在する場合、前記選択領域優先度指示情報に基づき、優先度が高い表示部品に前記重複選択領域を関連付けるように前記関連性情報を更新する優先度反映処理を実行する、
表示部品画面描画装置。
【発明の詳細な説明】
【技術分野】
【０００１】
この発明は、少なくとも一つの表示部品を画面上に表示する表示部品画面描画装置に関し、例えば、監視制御システムにおいて、監視対象の設備をそれぞれ表示部品として表示する表示部品画面描画装置に関する。
【背景技術】
【０００２】
監視制御システムは、監視対象とする設備の状態や数値をＧＵＩ(Graphical User Interface)部品（表示部品）として画面上で表示する表示部品画面描画機能を備えることが多い。一般的に多数の状態を表示する必要のある監視画面では、一度にすべての状態を表示することは困難である。そこで、各設備を示すシンボルなどを表示部品として監視画面上に配置し、その表示部品の表示領域をマウス等の入力デバイスを用いてクリックすることにより、さらに詳細な画面を開いて、表示部品が指示する対象設備の状態を確認したり、制御を行ったりしている。このような表示部品画面描画機能を有する技術として、例えば、特許文献１に開示されたＧＵＩ部品や、特許文献２に開示された情報処理端末がある。
【先行技術文献】
【特許文献】
【０００３】
【特許文献１】特開平１０−１４３３４８号公報
【特許文献２】特開２０１０−９２２７０号公報
【発明の概要】
【発明が解決しようとする課題】
【０００４】
特許文献１では、ＧＵＩ部品（表示部品）に対し、マウスクリック等の入力イベント取得領域として自由な形状を指定する技術を開示している。この技術により、ＧＵＩ部品を自由な形状にしつつも適切なマウスイベント処理を提供できる。しかし、特許文献１で開示された技術は、ある特定のＧＵＩ部品に関連付けられたイベント取得領域にのみ対応しており、様々な状態を持つような設備のシンボル部品の切り替えを行うためには複数回の定義（マウスイベント処理）が必要となるという問題点があった。
【０００５】
特許文献２では、スクロールバーなどの該当オブジェクトに対し、ポインティングデバイスの種類に応じてイベントの反応領域を拡大する技術を開示している。この技術により、オブジェクト表示側を拡大せずとも、ユーザの操作性を向上することができる。しかし、特許文献２で開示された技術では、使用するポインティングデバイスに応じた切り替えにのみ対応しており、イベントの反応領域をオブジェクト（表示部品）の状態表示に合わせて適切に切り替えることが困難となる問題点があった。
【０００６】
この発明は上記問題点を解決するためになされたもので、各々が画面上で表示すべき状態に応じて最適な選択領域が設定された少なくとも一つの表示部品を画面上に表示することができる表示部品画面描画装置を得ることを目的とする。
【課題を解決するための手段】
【０００７】
この発明に係る請求項１記載の表示部品画面描画装置は、少なくとも一つの表示部品を画面上に表示する表示部品描画装置であって、前記少なくとも一つの表示部品の画面上における描画情報である部品描画情報を記憶する描画情報記憶部と、前記部品描画情報を受け、前記少なくとも一つの表示部品のうち、選択領域の設定対象となる設定対象表示部品に対し、選択領域を生成し、生成した選択領域を前記設定対象表示部品に関連付ける、選択領域設定処理を実行する選択領域設定部とを備え、前記選択領域設定処理により得られた選択領域を定義する選択領域定義情報と前記設定対象表示部品と選択領域との関連性を指示する関連性情報とを含む情報が選択領域関連情報として前記描画情報記憶部に格納され、前記部品描画情報に基づき、画面上に前記少なくとも一つの表示部品を描画する部品描画部と、画面上におけるユーザの指示位置を示す入力操作に応答し、前記指示位置を指示する指示位置情報を付与するイベント検出部とをさらに備え、前記選択領域設定部は、前記指示位置情報が指示する指示位置に対応する選択領域が存在する場合、当該選択領域を検知選択領域として認識し、前記少なくとも一つの表示部品のうち、前記検知選択領域に関連付けられた表示部品が選択されたことを認識する表示部品選択認識処理をさらに実行する。
【発明の効果】
【０００８】
請求項１記載の本願発明の表示部品画面描画装置における選択領域設定部の選択領域設定処理により得られた選択領域関連情報を描画情報記憶部に格納することにより、選択領域定義情報及び関連性情報を描画情報記憶部で常時、保持することができる。
【０００９】
その結果、請求項１記載の本願発明の表示部品画面描画装置は、各々が画面上で表示すべき状態に応じて最適な選択領域が設定された少なくとも一つの表示部品を画面上に表示することができる効果を奏する。
【図面の簡単な説明】
【００１０】
【図１】この発明の実施の形態１である表示部品画面描画装置の構成を示すブロック図である。
【図２】図１で示した実施の形態１の表示部品画面描画装置を実現するためのハードウェア構成例を示すブロック図である。
【図３】図１で示した選択領域入力部による選択領域入力動作を示すフローチャートである。
【図４】選択領域入力部による入力画面表示の一例である。
【図５】選択領域入力情報の一例を示す説明図である。
【図６】選択領域入力情報の他の例を示す説明図である。
【図７】描画情報記憶部に格納される選択領域定義情報の一例を示す説明図である。
【図８】図１で示した選択イベント検出部による選択イベント検出処理の処理手順を示すフローチャートである。
【図９】図１で示した選択領域設定用制御部の選択領域設定処理の動作内容を示すフローチャートである。
【図１０】図１で示した関連付設定部による関連付設定処理の処理手順を示すフローチャートである。
【図１１】関連付設定部による関連付設定処理時における入力画面の一例を示す説明図である。
【図１２】実施の形態１の表示部品画面描画装置によって設定可能な選択領域の一例を示す説明図である。
【図１３】この発明の実施の形態２である表示部品画面描画装置の構成を示すブロック図である。
【図１４】図１３で示した既存部品情報取得部で抽出される追加対象既存部品情報の一例を示す説明図である。
【図１５】図１３で示した選択領域設定用制御部が行う選択領域設定処理を示すフローチャートである。
【図１６】追加対象既存部品の追加対象選択領域を上書きする一例を示す説明図である。
【図１７】この発明の実施の形態３である表示部品画面描画装置の構成を示すブロック図である。
【図１８】実施の形態３による優先度反映処理が必要になる場合の一例を示す説明図である。
【図１９】図１７で示した選択領域設定用制御部による選択領域設定処理の一部を示すフローチャートである。
【図２０】図１７で示した選択領域優先度指定部で付与される選択領域優先度指示情報の一例を示す説明図である。
【図２１】選択領域優先度指示情報の他の一例を示す説明図である。
【図２２】選択領域優先度指定部による選択領域優先度指示情報の作成動作を示すフローチャートである。
【図２３】実施の形態３の表示部品画面描画装置による効果の一例を示す説明図である。
【発明を実施するための形態】
【００１１】
＜実施の形態１＞
図１はこの発明の実施の形態１である表示部品画面描画装置の構成を示すブロック図である。同図に示すように、実施の形態１の表示部品画面描画装置は、選択領域入力部１１、描画情報記憶部１２、選択領域設定用制御部１３Ａ、関連付設定部１４、部品描画部１５及び選択イベント検出部１６より構成される。
【００１２】
描画情報記憶部１２は、複数の表示部品（少なくとも一つの表示部品）の画面上における描画情報である部品描画情報Ｓ１２を記憶している。また、描画情報記憶部１２は後述する選択領域関連情報Ｓ１３を併せて記憶することができる。
【００１３】
選択領域入力部１１、選択領域設定用制御部１３Ａ及び関連付設定部１４から構成される選択領域設定部は、選択領域設定用制御部１３Ａの制御下で、描画情報記憶部１２より部品描画情報Ｓ１２を受け、複数の表示部品のうち、選択領域の設定対象となる設定対象表示部品に対し、選択領域入力部１１によって選択領域を入力させ（選択領域入力処理）、生成した選択領域を関連付設定部１４によって設定対象表示部品に関連付けさせる（関連付設定処理）。
【００１４】
すなわち、選択領域設定用制御部１３Ａは選択領域入力部１１及び関連付設定部１４と連動して、選択領域入力部１１による上記選択領域入力処理及び関連付設定部１４による上記関連付設定処理を含む選択領域設定処理を実行する。
【００１５】
そして、上記選択領域設定処理において、選択領域入力部１１の上記選択領域入力処理により得られた選択領域を定義する選択領域定義情報Ｓ１３１と、関連付設定部１４の上記関連付設定処理により得られた設定対象表示部品と選択領域との関連付けに関する関連性情報Ｓ１３２とを含む情報が選択領域関連情報Ｓ１３として描画情報記憶部１２に格納される。
【００１６】
部品描画部１５は、描画情報記憶部１２から得られる部品描画情報Ｓ１２に基づき、画面上に複数の表示部品を描画する。この際、部品描画部１５は選択領域関連情報Ｓ１３に含まれる選択領域定義情報に基づき、選択領域を併せて描画しても良い。
【００１７】
選択イベント検出部１６は画面上におけるユーザの指示位置を示す入力操作に応答し、上記指示位置を指示する指示位置情報Ｓ１６を選択領域設定用制御部１３Ａに送信するイベント検出処理を実行する。
【００１８】
選択領域設定用制御部１３Ａは、選択領域関連情報Ｓ１３及び指示位置情報Ｓ１６を受け、指示位置情報Ｓ１６が指示する指示位置に対応する選択領域が存在する場合、当該選択領域を検知選択領域として認識し、複数の表示部品のうち、上記検知選択領域に関連付けられた表示部品が選択されたことを認識する表示部品選択認識処理をさらに実行する。この表示部品選択認識処理も上記選択領域設定処理に含まれる。
【００１９】
図２は図１で示した実施の形態１の表示部品画面描画装置を実現するためのハードウェア構成例を示すブロック図である。同図に示すように、表示部品画面描画装置として、ＰＣ（パーソナルコンピュータ）２１を備える。なお、ＰＣ２１に代えて一般的な計算機器を用いてもよい。
【００２０】
ＰＣ２１は、内部にＣＰＵ（Central Processing Unit：中央演算処理装置）２２、記憶装置２３、入力装置２４及び出力装置２５を有している。ＣＰＵ２２は演算機能（制御機能）を有し、記憶装置２３は情報を記憶し、ＣＰＵ２２との間で情報の授受を行う。入力装置２４は、キーボードやマウスなど、ＰＣ２１に対して入力情報を与えることができる様々な入力デバイスを含む入力装置であり、出力装置２５にはディスプレイなどの出力（画面上への描画処理）を行うことができる出力装置が含まれる。図２で示す構成は、実施の形態１以外の他の実施の形態（実施の形態２，実施の形態３）においても同様である。
【００２１】
図２で示すＰＣ２１の構成中、選択領域入力部１１及び選択イベント検出部１６は主要部が入力装置２４で構成され、一部にＣＰＵ２２におる演算機能を利用する。描画情報記憶部１２は主として記憶装置２３により構成される。
【００２２】
選択領域設定用制御部１３Ａ及び関連付設定部１４は、記憶装置２３及び入力装置２４に連動したＣＰＵ２２による演算機能により実現され、部品描画部１５は主として出力装置２５によって構成される。
【００２３】
図３は、選択領域入力部１１による選択領域入力処理を示すフローチャートである。以下、同図を参照して、選択領域入力処理の処理手順を説明する。
【００２４】
図３は、後述する選択領域設定用制御部１３ＡのステップＳＴ３１の実行時に、複数の表示部品のうち、選択領域を設定する対象の表示部品である少なくとも一つの設定対象表示部品が選ばれた後の処理を示している。
【００２５】
ユーザは、選択領域入力部１１を用いて、ステップＳＴ１１で選択領域を設定する対象の表示部品である設定対象表示部品の部品ＩＤを設定し、ＳＴ１２に移行する。
【００２６】
ここで、部品ＩＤとは、実施の形態１による表示部品画面描画装置で描画する表示部品を一意に特定可能な識別情報である。実施の形態１では“１００１”のように数値の組で記載しているが、英文字や数字の組など、管理している表示部品の集合から一意に特定できる識別情報であればよい。
【００２７】
ステップＳＴ１２において、選択領域入力部１１により選択領域の設定方法（自動，手動）を選択した後、ＳＴ１３に移行する。実施の形態１においては、選択領域の設定方法はユーザが設定した内容に従って一括して設定する「自動」、及び、表示部品をユーザが個別に選択して、選択領域を設定する「手動」のうち、一の設定方法を選択する。
【００２８】
ステップＳＴ１３において、選択領域入力部１１の制御下で、選択された設定方法が「自動」（Ｙ）であれば、ステップＳＴ１４へ移行し、“手動”（Ｎ）であればステップＳＴ１６へ移行する。
【００２９】
ステップＳＴ１４において、選択領域設定種別を設定し、ステップＳＴ１５へ移行する。ここで、選択領域設定種別とは、選択領域設定方法が「自動」の場合の入力情報のことであり、「拡張」などを選択領域設定種別として設定できるものとする。「拡張」を選択した場合は、後述の選択領域設定割合で指定した割合に従って、対象部品に対して選択領域が自動的に設定される。
【００３０】
ステップＳＴ１４に続くステップＳＴ１５では、選択領域設定種別の設定内容の指定を行い、処理を終了する。例えば、ステップＳＴ１４で選択領域設定種別として「拡張」を設定していた場合は、ステップＳＴ１５においては「拡張」における選択領域設定割合を指定する。ここで、選択領域設定割合は、選択領域設定方法が「自動」かつ選択領域設定種別が「拡張」の場合に設定する入力情報となる。「選択領域設定割合」が“１０５％”であれば、設定対象表示部品を１０５％に拡大して、つまり、もとの表示部品に対して５％分のマージンを上乗せした選択領域が自動的に設定される。
【００３１】
一方、ステップＳＴ１３にて選択された設定方法が“手動”（Ｎ）の場合に実行されるステップＳＴ１６において、ユーザが手動で選択領域を設定する手動選択領域入力処理が実行される。
【００３２】
図４は、選択領域入力部１１による入力画面表示の一例である。図４では、図３のステップＳＴ１６で実行される手動選択領域入力処理の実行時における画面表示例を示している。
【００３３】
同図に示すように、図３のステップＳＴ１１の実行時に、選択領域入力部１１が表示した選択領域入力画面４１上において、ユーザは、選択領域入力部１１を用いて部品ＩＤ入力欄４２に部品ＩＤを入力することができる。
【００３４】
ここで、図４で示した例では、部品ＩＤの入力方法にコンボボックス形式での入力方法を記載しているが、ツリー形式で一覧表示される部品ＩＤの一覧からマウス等の入力デバイスで選択する形式でもよい。
【００３５】
ステップＳＴ１６の手動選択領域入力処理において、選択領域入力部１１は、ユーザが指定した部品ＩＤに対応した（表示）部品４４を、描画エリア４３上に表示させる。ユーザは選択領域入力部１１を用いて表示された（表示）部品４４に対して選択領域４５を任意の形状で指定することができる。その後、ユーザが選択領域入力部１１を用いて設定ボタン４６を押下する操作を描画エリア４３上で行うことにより、任意形状の選択領域４５の入力が完了する。
【００３６】
図５は、選択領域入力部１１で入力された選択領域入力情報の一例を示す説明図である。図６は選択領域入力情報の他の例を示す説明図である。
【００３７】
図５及び図６に示すように、選択領域入力情報５１には、選択領域を設定対象表示部品に付与するために必要な情報が含まれる。
【００３８】
図５及び図６に示すように、実施の形態１では、図４で示した任意選択領域設定処理によって、選択領域の付与対象である設定対象表示部品を特定するための部品ＩＤと選択領域が情報種別欄Ｋ１に設定される。
【００３９】
図５及び図６で示した例では、選択領域の画面上における位置・大きさを示す情報として、選択領域の情報内容欄Ｋ２に示すように、選択領域の線分を示す座標の集合で指示される。なお、図５で示す指示内容以外に、画像で設定する等にしてもよい。また、座標の集合で構成する場合も、各座標は図５に示す選択領域入力情報５１のようにカンマ区切りの構成の他、図６で示す選択領域入力情報５１Ｌのようにリスト形式で構成してもよい。
【００４０】
図７は、描画情報記憶部１２格納される選択領域関連情報Ｓ１３に含まれる選択領域定義情報Ｓ１３１の一例を示す説明図である。選択領域定義情報Ｓ１３１には、選択領域入力部１１で入力された「部品ＩＤ」、及び、選択領域の大きさ、位置等を示す情報（座標情報等）に加え、選択領域入力部１１で選択された設定方法（手動、自動）も含まれる。
【００４１】
描画情報記憶部１２の記憶領域は、可変構造を保持しており、格納された設定方法の種別に応じて、選択領域定義情報Ｓ１３１を格納する構造が変化する。図７では、選定方法に「手動」で設定した場合を示しているが、設定方法が「自動」であれば、選択領域の他にも、設定種別として「拡張」、「選択領域設定割合」として“１０５％”など、「自動」を設定した際の入力項目情報も選択領域定義情報Ｓ１３１に含まれることになる。
【００４２】
図８は、選択イベント検出部１６による選択イベント検出処理の処理手順を示すフローチャートである。以下、同図を参照して選択イベント検出処理の説明を行う。
【００４３】
まず、選択イベント検出部１６では、ステップＳＴ２１で、選択イベント検出部１６に含まれるマウスなどの入力デバイスからの選択イベント検出待ちを一定時間行った後、ステップＳＴ２２へ移行する。
【００４４】
ここで、「選択イベント」とは、画面上に複数の表示部品が表示されている状況下で、マウスなどの入力デバイスを通じて、ユーザが、描画されている表示部品や表示部品の選択領域をクリックなどの選択行為を行って画面上における指示位置を示すイベントを意味する。
【００４５】
ステップＳＴ２２において、上記選択イベントの発生の有無を検出し、選択イベントを検出した場合（Ｙ）はステップＳＴ２３へ移行し、選択イベントが検出されない場合は（Ｎ）、ステップＳＴ２１に戻る。
【００４６】
ステップＳＴ２３では、ステップＳＴ２１で得た画面上におけるユーザの指示位置を指示する指示位置情報Ｓ１６を、選択イベント検出結果として選択領域設定用制御部１３Ａに通知する。
【００４７】
図９は、選択領域設定用制御部１３Ａの選択領域設定処理の動作内容を示すフローチャートである。以下、図９を参照しつつ、選択領域設定用制御部１３Ａの処理手順を説明する。
【００４８】
選択領域設定用制御部１３Ａでは、ステップＳＴ３１で選択領域を設定する設定対象表示部品の選定を行い、ステップＳＴ３２に移行する。設定対象表示部品は、画面上に描画しようとしている表示部品の全てである場合、また、一部の表示部品である場合等が考えられる。選択領域設定用制御部１３Ａは描画情報記憶部１２から部品描画情報Ｓ１２を得ているため、複数の表示部品から少なくとも一つの表示部品を設定対象表示部品として選ぶことができる。
【００４９】
ステップＳＴ３２において、選択領域設定用制御部１３ＡはステップＳＴ３１で選定した少なくとも一つの設定対象表示部品を選択領域入力部１１に通知し、図３で示したステップＳＴ１１〜ＳＴ１６からなる選択領域入力処理を選択領域入力部１１に実行させ、選択領域入力処理の完了を待つ。
【００５０】
選択領域入力部１１による選択領域入力処理が終了するとステップＳＴ３３に移行する。ステップＳＴ３３において、選択領域入力部１１の選択領域入力処理で得られた選択領域定義情報Ｓ１３１に基づき、設定対象表示部品に対して選択領域を設定し、ステップＳＴ３４に移行する。
【００５１】
ステップＳＴ３４において、関連付設定部１４による関連付設定処理（後に詳述する）を実行させ、関連付設定処理により得られた関連性情報Ｓ１３２を得て、ステップＳＴ３５へ移行する。
【００５２】
ステップＳＴ３５において、ステップＳＴ３２で得た選択領域定義情報Ｓ１３１と、ステップＳＴ３４で得た関連性情報Ｓ１３２とを選択領域関連情報Ｓ１３として、描画情報記憶部１２に格納しステップＳＴ３６に移行する。
【００５３】
ステップＳＴ３６において、選択イベント検出部１６による選択イベントの受付を開始させ、選択イベント発生時に選択イベント検出部１６から指示位置情報Ｓ１６を取得する。
【００５４】
その後、ステップＳＴ３７において、指示位置情報Ｓ１６が指示する指示位置に対応する選択領域が存在する場合、当該選択領域を検知選択領域として認識し、画面上に表示されている複数の表示部品のうち、上記検知選択領域に関連付けられた表示部品が選択されたことを認識する表示部品選択認識処理を実行する。
【００５５】
その後、表示部品選択認識処理により選択が認識された表示部品を指示する選択表示部品情報を部品描画部１５に通知することにより、部品描画部１５は、選択された表示部品に関し、詳細情報を示す画面に切り替えることができる。
【００５６】
図１０は、関連付設定部１４による関連付設定処理の処理手順を示すフローチャートである。以下、図１０を参照しつつ、関連付設定処理について説明する。なお、図１０で示す関連付設定処理は、図９のステップＳＴ３４の処理に該当する。
【００５７】
関連付設定部１４は、ステップＳＴ４１において、選択領域及び表示部品の情報を取得する。すなわち、関連付設定部１４は、選択領域設定用制御部１３Ａより設定対象表示部品の描画情報と、選択領域定義情報Ｓ１３１とを取得し、ステップＳＴ４２へ移行する。
【００５８】
ステップＳＴ４２において、設定対象表示部品と選択領域との関連性を設定するともに、必要に応じて複数の表示部品間、複数の選択領域間の関連性を設定して、ステップＳＴ４３に移行する。
【００５９】
ステップＳＴ４３において、ステップＳＴ４２で設定した設定対象表示部品と選択領域との関連性等を指示する関連性情報Ｓ１３２を描画情報記憶部１２へ格納する。なお、図９で示した選択領域設定用制御部１３ＡによるステップＳＴ３５において、選択領域関連情報Ｓ１３（選択領域定義情報Ｓ１３１＋関連性情報Ｓ１３２）を描画情報記憶部１２に格納する処理が実行されるため、ステップＳＴ４３の処理を省略しても良い。
【００６０】
その後、ステップＳＴ４４において、関連付設定部１４は、関連性情報Ｓ１３２の描画情報記憶部１２への格納完了通知を選択領域設定用制御部１３Ａに通知して終了する。
【００６１】
図１１は、関連付設定部１４による関連付け動作時における入力画面の一例を示す説明図である。関連付設定部１４で表示される、関連付設定用の入力画面１０１は、設定する項目を指定する設定項目指定欄１０２と設定項目指定欄１０２の項目に応じた情報を入力・表示する設定項目入力欄１０３と、設定中の表示部品や選択領域を表示する表示欄１０４と表示部品や選択領域の関連性を定義するための設定欄１０８と、関連性の設定を確定させるための設定ボタン１０９とを有している。
【００６２】
ユーザは、表示された入力画面１０１の設定項目指定欄１０２から「（表示）部品」や「選択領域」などの設定する項目を選択する。図１１で示す例では、「部品」を選択した場合を示している。次に設定項目入力欄１０３から設定対象を入力する。この設定対象は、設定項目指定欄１０２の内容に応じて表示項目が変化する。
【００６３】
実施の形態１では、設定項目指定欄１０２の指定が「部品」としているため、それに対応した「部品ＩＤ」が選択可能な設定項目入力欄１０３が示されている。また、表示欄１０４には、選択した（表示）部品に関連している他の部品や選択領域が必要に応じて表示される。図１１で示す例では、部品ＩＤ“１００１”に該当する表示部品に関する領域（部品領域１０７）や選択領域（第１選択領域１０５Ａ，第２選択領域１０５Ｂ）が表示される例を示している。
【００６４】
また、設定欄１０８には、（表示）部品と選択領域の関連性等を設定可能な画面が表示される。部品名表示エリアＫ３には部品のＩＤが表示され、選択領域名表示エリアＫ４には選択領域のＩＤが表示される。設定欄１０８では、部品（ＩＤ）“１００２”と選択領域（ＩＤ）“Ｓ２７９８”とが関連性を有していることを示している。また、設定欄１０８において、部品“１００１”と選択領域“Ｓ３００３”とが関連性を有しており、さらに、選択領域“Ｓ３００３”と“Ｓ３０４６”とが関連性を有していることが示されている。ユーザは、設定欄１０８上でのマウス等の入力デバイスによる操作を行って関連性を設定し、設定ボタン１０９を押下することで、選択された部品、選択領域の関連性の設定を確定させることができる。
【００６５】
図１２は、実施の形態１の表示部品画面描画装置によって設定可能な選択領域の一例を示す説明図である。図１２(a) に示すように、部品・選択領域１１０において、互いに異なる第１部品１１１及び第２部品１１２間を関連付けるとともに、第１部品１１１及び第２部品１１２に共通選択領域１１３を関連付けている。
【００６６】
すなわち、部品・選択領域１１０において、互いに異なる第１部品１１１，第２部品１１２間に共通の共通選択領域１１３が設定されている。例えば、図１１において、第１部品１１１の部品ＩＤが“１００１”であり、第２部品１１２の部品ＩＤが“１００２”で、共通選択領域１１３のＩＤが“Ｓ３００４”の場合、設定欄１０８上で“１００１”“１００２”及び“Ｓ３００４”を選択した後、設定ボタン１０９を押下することにより、図１２(a) で示す関連性を設定することができる。
【００６７】
図１２(b) に示すように、部品・選択領域１２０において、同一の部品１２１に対し互いに異なる第１選択領域１２３及び第２選択領域１２４を関連付けている。
【００６８】
すなわち、部品・選択領域１２０において、同一の部品１２１に対し互いに異なる第１選択領域１２３及び第２選択領域１２４が設定されている。例えば、図１１において、部品１２１の部品ＩＤが“１００１”であり、第１選択領域１２３のＩＤが“Ｓ３００３”で第２選択領域１２４のＩＤが“Ｓ３００４”の場合、設定欄１０８上で“１００１”“Ｓ３００３”及び“Ｓ３００４”を選択した後、設定ボタン１０９を押下することにより、図１２(b) で示す関連性を設定することができる。
【００６９】
このように、関連付設定部１４による関連付設定処理により、図１２(a) に示すように、複数の（表示）部品の集合に対して一の選択領域を設定したり、図１２(b) に示すように、一つの（表示）部品に対して複数の選択領域を関連付けて設定したりすることができる。
【００７０】
その結果、複数の表示部品をシンボルとして用いた監視対象の設備の状態に応じて、表示が変化する監視画面のシンボル（表示部品）も効率的に作成して画面上表示することができる。
【００７１】
このように、実施の形態１の表示部品画面描画装置は、選択領域設定用制御部１３Ａが選択領域入力部１１及び関連付設定部１４と連動して選択領域設定処理を実行することにより得られた選択領域関連情報Ｓ１３（選択領域定義情報Ｓ１３１＋関連性情報Ｓ１３２）を描画情報記憶部１２に格納している。したがって、選択領域の位置・大きさ等を示す情報と、表示部品，選択領域間の関連性等に関する情報とを描画情報記憶部１２で常時、保持することができる。
【００７２】
その結果、実施の形態１の表示部品画面描画装置は、各々が画面上で表示すべき状態に応じて最適な選択領域が設定された複数の表示部品（少なくとも一つの表示部品）を画面上に表示することができる効果を奏する。
【００７３】
＜実施の形態２＞
実施の形態１では、主として表示部品（ＧＵＩ部品）を作成する過程に注視して選択領域を設定していたが、各々に選択領域が設定された複数の表示部品を作成後、複数の表示部品に含まれていない既存部品を追加できるように構成しても良い。既存部品の追加設定を可能にしたのが実施の形態２の表示部品画面描画装置である。
【００７４】
図１３は、この発明の実施の形態２である表示部品画面描画装置の構成を示すブロック図である。新たに既存部品情報取得部３１及び既存部品描画情報記憶部３２が追加された点、選択領域設定用制御部１３Ａが選択領域設定用制御部１３Ｂに変更された点が実施の形態１と異なる。したがって、実施の形態２では、選択領域入力部１１、選択領域設定用制御部１３Ｂ及び関連付設定部１４によって選択領域設定部が構成される。
【００７５】
なお、実施の形態２の図２で示すＰＣ２１との関係において、既存部品情報取得部３１は記憶装置２３及び入力装置２４と連動して動作するＣＰＵ２２により実現され、既存部品描画情報記憶部３２は主として記憶装置２３により実現され、選択領域設定用制御部１３Ｂは記憶装置２３及び入力装置２４に連動したＣＰＵ２２による演算機能により実現される。
【００７６】
既存部品描画情報記憶部３２は複数の既存部品に関し、複数の既存部品それぞれの描画情報を含む既存部品描画情報を格納している。なお、複数の既存部品の少なくとも一部において既に選択領域が設定されている場合、設定された選択領域の位置・大きさを指示する選択領域定義情報が既存部品描画情報に含まれる。
【００７７】
既存部品情報取得部３１は、既存部品描画情報記憶部３２から既存部品描画情報を受け、既存部品描画情報から、追加対象となる既存部品である追加対象既存部品の描画情報と、追加対象既存部品に選択領域が既に設定されている場合、この選択領域（追加対象選択領域）の定義情報とが併せて指示される追加対象既存部品情報Ｓ３１を生成する。このように、追加対象既存部品に既に設定された選択領域である追加対象選択領域が存在する場合、追加対象既存部品情報Ｓ３１内に追加対象選択領域の定義情報が含まれる。
【００７８】
さらに、既存部品情報取得部３１は、追加対象既存部品情報Ｓ３１の生成に際して、追加対象既存部品及び追加対象選択領域それぞれのＩＤを付与する。したがって、追加対象既存部品及び追加対象選択領域それぞれのＩＤが追加対象既存部品情報Ｓ３１に含まれる。
【００７９】
上述したように、既存部品情報取得部３１及び既存部品描画情報記憶部３２は、複数の表示部品（少なくとも一つの表示部品）に含まれない、追加対象既存部品の描画情報と追加対象選択領域の定義情報とを指示する追加対象既存部品情報Ｓ３１を、選択領域設定部の選択領域設定用制御部１３Ｂに付与する既存部品情報付与部として機能する。
【００８０】
選択領域設定用制御部１３Ｂは、追加対象既存部品情報Ｓ３１を受け、追加対象既存部品を新たに少なくとも一つの表示部品に含ませるともに、追加対象選択領域が存在する場合は追加対象選択領域を無効化して、追加対象既存部品に対し実施の形態１と同様の選択領域設定処理を実行する。
【００８１】
図１４は、既存部品情報取得部３１で抽出される追加対象既存部品情報Ｓ３１の一例を示す説明図である。同図に示すように、追加対象既存部品情報Ｓ３１は情報種別欄Ｋ１及び情報内容欄Ｋ２に分類され、情報種別欄Ｋ１に「部品ＩＤ」、「選択領域の有無」、「選択領域ＩＤ」、「選択領域」（座標情報）があり、情報内容欄Ｋ２にそれぞれ具体的内容が示される。「選択領域の有無」、「選択領域ＩＤ」、「選択領域」の座標情報の内容が上述した追加対象選択領域の定義情報となる。なお、図１４では図示していないが、追加対象既存部品情報Ｓ３１には、追加対象既存部品の描画情報も含まれる。
【００８２】
前述したように、既存部品情報取得部３１は、既存部品描画情報記憶部３２から既存部品描画情報を読み取った後、追加対象既存部品に部品ＩＤを付与する。また、追加対象既存部品に対して既に選択領域が設定されているかどうかの情報も取得する。ここで既に選択領域が設定されている場合は、その選択領域（追加対象選択領域）に対して選択領域ＩＤを付与する。また、既存部品情報取得部３１は、既存部品描画情報から選択領域の座標情報も取得する。
【００８３】
なお、図１４で示す例では、追加対象既存部品情報Ｓ３１として、選択領域の位置・大きさを示す情報を、選択領域の線分を示す座標の集合で構成される態様で示しているが、画像で設定するなどしてもよい。また、座標の集合で構成する場合も、各座標は図１４に示すようにカンマ区切りの構成の他にもリスト形式などで構成してもよい。
【００８４】
図１５は、既存部品情報取得部３１から取得した追加対象既存部品情報Ｓ３１に基づき、選択領域設定用制御部１３Ｂが行う選択領域設定処理を示すフローチャートである。以下、同図を参照して、選択領域設定用制御部１３Ｂの動作内容を説明する。
【００８５】
まず、ステップＳＴ５１において、既存部品情報取得部３１より追加対象既存部品情報Ｓ３１を取得し、ステップＳＴ５２へ移行する。
【００８６】
ステップＳＴ５２において、追加対象既存部品情報Ｓ３１から、追加対象既存部品に追加対象選択領域が既に設定されているかを確認し、設定されていれば（Ｙ）、ステップＳＴ５３に移行し、設定されていなければ（Ｎ）、その後の処理は実施の形態１の選択領域設定用制御部１３Ａによる設定領域設定処理と同様となるため、ステップＳＴ５７で主要処理（図９で示したステップＳＴ３２〜ＳＴ３７）を行った後、処理を終了する。
【００８７】
ステップＳＴ５３において、追加対象既存部品情報Ｓ３１から追加対象選択領域を取得して、ステップＳＴ５４へ移行する。
【００８８】
ステップＳＴ５４において、ステップＳＴ５３で取得した追加対象選択領域と同一領域を持つ選択不可領域を生成し、ステップＳＴ５５に移行する。
【００８９】
ステップＳＴ５５において、ステップＳＴ５４で生成した選択不可領域を既存部品の追加対象選択領域に重畳し、追加対象選択領域を無効化する。
【００９０】
その後、ステップＳＴ５６において、追加対象既存部品の全てにおいて処理が完了したかどうかを判定し、完了していなければ（Ｎ）ステップＳＴ５１に戻り、完了していれば、ステップＳＴ５７で主要処理（図９で示したステップＳＴ３２〜ＳＴ３７）を行った後、処理を終了する。
【００９１】
実施の形態２において、ステップＳＴ５７の主要処理として実行される、図９のステップＳＴ３５において、追加対象既存部品情報Ｓ３１に含まれる追加対象既存部品の描画情報が部品描画情報Ｓ１２に含まれるように、部品描画情報Ｓ１２の更新処理を併せて行う必要がある。この処理により、追加対象既存部品を複数の表示部品に含めせることができる。
【００９２】
図１６は、図１５のフローチャートに対応した追加対象既存部品に新たな選択領域を上書きする一例を示す説明図である。
【００９３】
同図(a) に示すように、追加対象既存部品１５１において、追加対象既存部品１５１を矩形で囲む様に追加対象選択領域１５２が既に設定されている。追加対象既存部品１５１に対して新たに選択領域を設定するには、追加対象選択領域１５２の存在を無効化する必要がある。
【００９４】
そこで、同図(b) に示すように、追加対象選択領域１５２と同一形状の選択不可領域１５３を生成し（図１５のステップＳＴ５４）、同図(c) に示すように、追加対象選択領域１５２上に選択不可領域１５３が重畳させる（図１５のステップＳＴ５５）。その結果、選択不可領域１５３によって追加対象選択領域１５２の存在を無効化することができる。
【００９５】
その後は、実施の形態１と同様の選択領域設定処理の主要処理を実行して（図１５のステップＳＴ５７）、同図(d) に示すように、追加対象既存部品１５１に新たな上書き選択領域１５４を設定することができる。
【００９６】
実施の形態２の表示部品画面描画装置は、以上のように構成されているため、追加対象既存部品情報Ｓ３１を取得した際、追加対象選択領域が既に設定済みの場合においても、支障なく追加対象既存部品の選択領域を新たに再設定することができる。したがって、実施の形態２は、既存部品を取り込んで自由な選択領域を付与した上で再利用することができる。
【００９７】
上述したように、実施の形態２の表示部品画面描画装置の選択領域設定用制御部１３Ｂは、選択領域設定処理の実行時に、追加対象既存部品を新たに複数の表示部品に含ませるとともに、追加対象選択領域が存在する場合は追加対象選択領域を無効化して、追加対象既存部品に対し選択領域設定処理を実行することができる。
【００９８】
その結果、実施の形態２の表示部品画面描画装置は、複数の表示部品に新たに含まれた追加対象既存部品についても画面上で表示すべき状態に応じて最適な選択領域を設定することができる。
【００９９】
＜実施の形態３＞
実施の形態１では、選択領域を設定する際に選択領域ごとに関連性を指定していたが、さらに表示部品間で選択領域の優先度を指定するように構成することが考えられる。この構成を実現したのが、実施の形態３である。
【０１００】
図１７は、この発明の実施の形態３である表示部品画面描画装置の構成を示すブロック図である。同図に示すように、選択領域優先度指定部３３が追加された点、選択領域設定用制御部１３Ａが選択領域設定用制御部１３Ｃに変更された点が実施の形態１と異なる。したがって、実施の形態３では、選択領域入力部１１、選択領域設定用制御部１３Ｃ及び関連付設定部１４によって選択領域設定部が構成される。
【０１０１】
なお、実施の形態３の図２で示すＰＣ２１との関係において、選択領域優先度指定部３３は入力装置２４と連動して動作するＣＰＵ２２により実現され、選択領域設定用制御部１３Ｂは記憶装置２３及び入力装置２４に連動したＣＰＵ２２による演算機能により実現される。
【０１０２】
選択領域優先度指定部３３は、複数の表示部品間における、選択領域の優先度を指示する選択領域優先度指示情報Ｓ３３を選択領域設定用制御部１３Ｃに付与する。
【０１０３】
選択処理設定部における選択領域設定用制御部１３Ｃは、選択領域優先度指示情報Ｓ３３を受け、選択領域設定処理の実行時に、画面上で互いの選択領域が重複した重複選択領域を有する少なくとも二つの表示部品が存在する場合、選択領域優先度指示情報Ｓ３３に基づき、優先度が高い表示部品に重複選択領域を関連付けるように選択領域関連情報Ｓ１３に含まれる関連性情報Ｓ１３２を更新する優先度反映処理を実行する。
【０１０４】
図１８は、実施の形態３の表示部品画面描画装置による優先度反映処理が必要になる場合の一例を示す説明図である。図１８に示すように、何らかの理由で設備Ａに設備Ｂを近接配置する必要が生じると、同図(a) に示す第１表示部品１７２（設備Ａ）と第２表示部品１７４（設備Ｂ）とが接近するように移動させる必要が生じる。その結果、同図(b) に示すように、第１表示部品１７２の第１選択領域１７１と、第２表示部品１７４の第２選択領域１７３と間に重複選択領域１７５が存在する場合が想定される。
【０１０５】
この場合、重複選択領域１７５が指示位置情報Ｓ１６により指示される指示位置となる場合、第１表示部品１７２及び第２表示部品１７４のうち、どちらの表示部品が選択されたのを判別がつかなくなる。このような重複選択領域１７５が生じる場合の解決を図ったのが実施の形態３である。
【０１０６】
図１９は、本実施の形態３を適用した場合の選択領域設定用制御部１３Ｃによる選択領域設定処理の一部を示すフローチャートである。同図に示すように、ステップＳＴ３４１〜ＳＴ３４４は、図９で示した実施の形態１における選択領域設定用制御部１３Ａによる選択領域設定処理のステップＳＴ３４，ＳＴ３５間に挿入される処理となる。以下、図１９を参照して、ステップＳＴ３４１〜ＳＴ３４４の処理内容を説明する。
【０１０７】
ステップＳＴ３４１において、画面上で互いの選択領域が重複した重複選択領域を有する少なくとも二つの表示部品が存在するか否かを検出する処理を行い、続くステップＳＴ３４２において、重複選択領域が存在する場合（Ｙ）はステップＳＴ３４３に移行する。
【０１０８】
一方、ステップＳＴ３４２において、重複選択領域が存在しない場合（Ｎ）は、ステップＳＴ３４３及びＳＴ３４４の優先度反映処理は不要となるため、ステップＳＴ３５に移行し、以降、実施の形態１と同様の選択領域設定処理が実行される。
【０１０９】
ステップＳＴ３４３において、選択領域設定用制御部１３Ｃは選択領域優先度指定部３３から選択領域優先度指示情報Ｓ３３を取得する。
【０１１０】
その後、ステップＳＴ３４４において、選択領域設定用制御部１３Ｃは、選択領域優先度指示情報Ｓ３３の指示内容に沿って、優先度が高い表示部品に重複選択領域を関連付けるように関連性情報Ｓ１３２を更新する優先度反映処理を実行する。
【０１１１】
以後、ステップＳＴ３５に移行し、実施の形態１と同様の選択領域設定処理が実行される。
【０１１２】
図２０は、選択領域優先度指定部３３で付与される選択領域優先度指示情報Ｓ３３の一例を示す説明図である。情報種別欄Ｋ１に「部品ＩＤ」の欄と「優先部品ＩＤ」の欄とを設けている。図２０で示す例では、「部品ＩＤ」が“１７０９”の表示部品は、「部品ＩＤ」が“１１０４”及び“１１０５”の表示部品より優先度が低いことを示している。
【０１１３】
図２０で示す例では、対象部品に対して優先すべき部品を列挙する例で記載しているが、部品と選択領域、選択領域と選択領域などの間の優先度を指定してもよい。
【０１１４】
図２１は選択領域優先度指示情報Ｓ３３の他の一例を示す説明図である。同図に示すように、「部品ＩＤ」間の優先度を、部品ＩＤ情報Ｐ１〜Ｐ４，ＰＸ，ＰＹのツリー構造で指定している。図２１で示す例では、例えば、「部品ＩＤ」（部品ＩＤ情報Ｐ３）が“１１０５”の表示部品は、「部品ＩＤ」（部品ＩＤ情報Ｐ４）が“１１９９”の表示部品より優先度が高く、「部品ＩＤ」（部品ＩＤ情報Ｐ１）が“１７０９”の表示部品より優先度が低いことを示している。
【０１１５】
図２２は、選択領域優先度指定部３３による選択領域優先度指示情報Ｓ３３の作成処理を示すフローチャートである。以下、同図を参照して、選択領域優先度指示情報Ｓ３３の作成処理を説明する。
【０１１６】
まず、ステップＳＴ６１において、優先度を指定する対象の表示部品の部品ＩＤをすべて取得し、ステップＳＴ６２に移行する。
【０１１７】
ステップＳＴ６２において、優先度の指定方法を選択してステップＳＴ６３に移行する。なお、優先度の指定方法には、図２０で示したように、優先すべき表示部品を列挙する方式や、図２１で示したようにツリー構造で指定する方式が考えられる。さらに、他の優先度の指定法方法として、重複選択領域が存在する場合に、選択領域の重なりの個数や範囲を密集度と定義して、重複選択領域を有する少なくとも二つの表示部品それぞれの密集度を優先度判定基準として優先度を指定する方式が考えられる。
【０１１８】
その後、ステップＳＴ６３において、ステップＳＴ６２で設定した優先度の指定方法を採用して、選択領域優先度指示情報Ｓ３３を作成する。
【０１１９】
図２３は、図１８(b) で示した重複選択領域１７５の発生時における、実施の形態３の表示部品画面描画装置による効果の一例を示す説明図である。
【０１２０】
選択領域優先度指示情報Ｓ３３において、第１表示部品１７２（設備Ａ）の優先度を第２表示部品１７４（設備Ｂ）の優先度より高く設定することにより、第１選択領域１７１と第２選択領域１７３との優先指定済・選択領域重複領域１７５Ｐは、第２表示部品１７４ではなく、第１表示部品１７２の第１選択領域１７１内の領域と設定することができる。
【０１２１】
実施の形態３の表示部品画面描画装置は、以上のように構成されているため、画面上で互いの選択領域が重複した重複選択領域を有する少なくとも二つの表示部品が存在する場合、上記少なくとも二つの表示部品のうち、いずれの表示部品の選択領域を優先するかをユーザ主導の選択領域優先度指示情報Ｓ３３によって指定することができる。
【０１２２】
このように、実施の形態３の表示部品画面描画装置の選択領域設定用制御部１３Ｃは、選択領域設定処理内で優先度反映処理を併せて実行することにより、画面上で互いの選択領域が重複した重複選択領域を有する少なくとも二つの表示部品が存在しても、表示部品選択認識処理を支障なく実行することができる。
【０１２３】
＜その他＞
なお、本発明は、その発明の範囲内において、各実施の形態を自由に組み合わせたり、各実施の形態を適宜、変形、省略したりすることが可能である。
【０１２４】
例えば、実施の形態２の表示部品画面描画装置（図１３参照）に、実施の形態３の選択領域優先度指定部３３（図１７参照）をさらに設け、選択領域設定用制御部１３Ｂに選択領域設定用制御部１３Ｃの優先度反映処理をさらに実行させるようにしても良い。
【０１２５】
また、通常、画面には複数の表示部品が表示されるが、画面に１つの表示部品が表示される構成においても、実施の形態１及び実施の形態２は適用可能である。すなわち、実施の形態１及び実施の形態２において、少なくとも一つの表示部品を画面上に表示する表示部品描画装置として適用可能である。
【符号の説明】
【０１２６】
１１  選択領域入力部、１２  描画情報記憶部、１３Ａ〜１３Ｃ  選択領域設定用制御部、１４  関連付設定部、１５  部品描画部、１６  選択イベント検出部、３１  既存部品情報取得部、３２  既存部品描画情報記憶部、３３  選択領域優先度指定部。
【図１】
2017167876.tif 000003
【図２】
2017167876.tif 000004
【図３】
2017167876.tif 000005
【図４】
2017167876.tif 000006
【図５】
2017167876.tif 000007
【図６】
2017167876.tif 000008
【図７】
2017167876.tif 000009
【図８】
2017167876.tif 000010
【図９】
2017167876.tif 000011
【図１０】
2017167876.tif 000012
【図１１】
2017167876.tif 000013
【図１２】
2017167876.tif 000014
【図１３】
2017167876.tif 000015
【図１４】
2017167876.tif 000016
【図１５】
2017167876.tif 000017
【図１６】
2017167876.tif 000018
【図１７】
2017167876.tif 000019
【図１８】
2017167876.tif 000020
【図１９】
2017167876.tif 000021
【図２０】
2017167876.tif 000022
【図２１】
2017167876.tif 000023
【図２２】
2017167876.tif 000024
【図２３】
2017167876.tif 000025